(57)【要約】【課題】商品選択ボタンおよび商品見本と、商品表示テープの商品情報表示とを位置合わせして利用者が商品情報を正確に識別できる商品表示装置を提供すること。【解決手段】複数の商品情報表示領域を設けた商品表示テープ１４を備え、駆動手段の駆動によってこの商品表示テープ１４を移動させることにより、商品選択ボタンに対する商品情報表示の切り換えを行う自動販売機の商品表示装置において、商品表示テープ１４に商品選択ボタンと商品情報表示の位置合わせの基準となる基準位置検出孔１４ｂを設け、商品情報表示を切り換える際に基準位置検出孔１４ｂを検出た時点から予め設定した移動量だけ商品表示テープ１４を移動させる商品表示テープ制御手段を備えるようにした。【選択図】      図９
2004234491.tif 000002
【特許請求の範囲】
【請求項１】
複数の商品情報表示を設けた商品表示テープを備え、駆動手段の駆動によってこの商品表示テープを移動させることにより、商品選択ボタンに対する商品情報表示の切り換えを行う自動販売機の商品表示装置において、
前記商品表示テープに商品選択ボタンと商品情報表示の位置合わせの基準となる表示基準位置を設け、
前記商品情報表示を切り換える際に前記表示基準位置を検出した時点から予め設定した移動量だけ商品表示テープを移動させる商品表示テープ制御手段を備えたことを特徴とする自動販売機の商品表示装置。
【発明の詳細な説明】
【０００１】
【発明の属する技術分野】
本発明は、自動販売機の商品表示装置に関するものであり、たとえば、温蔵商品と冷蔵商品とを販売する自動販売機の商品表示装置に関するものである。
【０００２】
【従来の技術】
温蔵商品と冷蔵商品とを販売する自動販売機が一般に知られている。かかる自動販売機によれば、たとえばコーヒーのように同種の商品であっても、温蔵商品と冷蔵商品とは区別して販売されている。利用者が温蔵商品と冷蔵商品とを間違うことなく購入できるように、商品の種類と、温蔵商品であるか冷蔵商品であるかを一見してわかるように表示しなければならない。このため、自動販売機の展示室に、商品選択ボタンと関連づけた商品見本のほかに、温蔵商品であるか冷蔵商品であるかを区別する商品表示装置を配設してある。
【０００３】
商品表示装置は、商品選択ボタンと、商品選択ボタンと平行に配設され、かつ、商品選択ボタンと関連づけられた商品見本との間に、温蔵商品であるか冷蔵商品であるかを表示する無端状の商品表示テープを配設し、商品表示テープを周回させることにより商品が温蔵商品であるか冷蔵商品であるかの表示を切り換えるものが知られている（特許文献１参照）。
【０００４】
また、商品選択ボタンと、商品選択ボタンと関連づけられた商品見本との間に、商品が温蔵商品であるか冷蔵商品であるかを表示する商品表示テープを駆動プーリと従動プーリとに巻き付けて配設し、商品表示テープをモータなどの駆動手段により巻き取って、商品が温蔵商品であるか冷蔵商品であるかの表示を切り換えるものも知られている（特許文献２参照）。
【０００５】
【特許文献１】
実開平２−２３７８号公報
【特許文献２】
特開平６−１０３４４８号公報
【０００６】
【発明が解決しようとする課題】
ところで、上述したように、商品選択ボタンと関連づけた商品見本との間に商品表示テープを配設し、商品表示テープをモータなどの駆動手段により移動させて商品が温蔵商品である旨の表示（以下、温蔵商品表示という。）と商品が冷蔵商品である旨の表示（以下、冷蔵商品表示という。）とを切り換えた場合に、商品選択ボタンおよび商品見本と商品表示テープの商品情報表示とを位置合わせして利用者が商品情報を正確に識別できるようにしなければならない。
【０００７】
しかしながら、単にモータなどの駆動手段を駆動して商品表示テープを予め設定した移動量を移動させただけでは商品選択ボタンと商品表示テープの商品情報表示とが位置合わせされるとは限らない。たとえば、駆動手段の駆動前にすでに商品選択ボタンと商品表示テープの商品情報表示との位置関係がずれている場合には、商品表示テープを所定量移動させても商品選択ボタンと商品表示テープの商品情報表示とは位置合わせすることはできない。また、駆動手段の駆動中に停電等の電源事故が発生した場合には、事故から復帰しても商品選択ボタンと商品表示テープの商品情報表示とは位置合わせすることができない。
【０００８】
本発明は、上記実情に鑑みて、商品選択ボタンおよび商品見本と、商品表示テープの商品情報表示とを位置合わせして利用者が商品情報を正確に識別できる商品表示装置を提供することを目的とする。
【０００９】
【課題を解決するための手段】
上記の目的を達成するために、本発明の請求項１に係る自動販売機の商品表示装置は、複数の商品情報表示を設けた商品表示テープを備え、駆動手段の駆動によってこの商品表示テープを移動させることにより、商品選択ボタンに対する商品情報表示の切り換えを行う自動販売機の商品表示装置において、前記商品表示テープに商品選択ボタンと商品情報表示の位置合わせの基準となる表示基準位置を設け、前記商品情報表示を切り換える際に前記表示基準位置を検出した時点から予め設定した移動量だけ商品表示テープを移動させる商品表示テープ制御手段を備えたことを特徴とする。
【００１０】
【発明の実施の形態】
以下に添付図面を参照して、本発明に係る自動販売機の商品表示装置の好適な実施の形態を詳細に説明する。なお、図１は本発明の実施の形態に係る商品表示装置を適用した自動販売機の斜視図、図２は図１に示した商品表示装置であって、（ａ）は平面図，（ｂ）は正面図、図３は図２のＩＩＩ−ＩＩＩ断面図、図４は図２に示した駆動ユニットの説明図であって、（ａ）は平面図，（ｂ）は正面図，（ｃ）は左側面図、図５は図２に示した従動ユニットの説明図であって、（ａ）は平面図，（ｂ）は正面図，（ｃ）は右側面図、図６は図２に示した本発明の商品表示テープの概念図、図７は自動販売機の商品表示装置のブロック図である。
【００１１】
図１に示すように、本発明に係る自動販売機の商品表示装置を適用する自動販売機１は、本体キャビネット２と、本体キャビネット２に設けた商品収容室の前面開口部を覆う内扉３と、内扉３の外方において本体キャビネット２の前面開口部を覆う外扉４とを備えている。
【００１２】
本体キャビネット２に設けた商品収容室は、仕切壁により三つの商品収容室に画成され、各商品収容室の上方域に、缶商品，壜商品，ペットボトル商品などの商品を収納した商品ラックを収設する一方、各商品収納室の下方域に冷却／加熱ユニットを配設してある。
【００１３】
外扉４には、前面に硬貨投入口（図示せず），紙幣挿入口（図示せず），返却レバー（図示せず），返却口（図示せず），商品取出口５を配設する一方、上部域に展示室６を形成してある。展示室６は、外扉４の後方側に開閉可能に取り付けた中扉７と、外扉４の前面側にはめ込んだ透明板９により構成され、利用者が自動販売機１の前面側から展示室６内部を透視できるようになっている。
【００１４】
外扉４の前面側にはめ込んだ透明板９には、商品選択ボタン１０が配設してある。商品選択ボタン１０は各商品ラックと対応しており、商品選択ボタン１０を押下すると商品選択ボタン１０と対応する商品ラックから商品を搬出する。
【００１５】
展示室６を構成する中扉７の上方域は商品展示部８ａとして使用され、下方域は広告部８ｂとして使用される。商品展示部８ａには、本発明の実施の形態に係る自動販売機１の商品表示装置１１が上下方向に三段並べて配設してあり、広告部８ｂには、商品を広告するポスターなどが展示してある。
【００１６】
商品表示装置１１は、たとえば、商品情報を表示するものであって、より具体的には、展示した商品（商品見本１２）が冷蔵商品であるか、温蔵商品であるかの商品情報を表示するものである。図２に示すように、商品表示装置１１は、商品見本１２を取り付けた商品展示台１３と、商品展示台１３の回りを周回する商品表示テープ１４とを備えている。商品展示台１３は商品を展示するものであり、商品表示テープ１４は展示した商品の商品情報を表示するものである。商品展示台１３に商品見本１２を取り付けて、商品表示テープ１４が商品ごとにその商品の商品情報、すなわち、温蔵状態または冷蔵状態、を表示する。
【００１７】
図３に示すように、商品展示台１３は、下面を開放した断面コの字状の横長の箱形に形成してある。商品展示台１３は、その背面を切り起こして形成した係止片１３ａによって中扉７に取り付けてある。
【００１８】
また、図２（ａ）に示すように、商品展示台１３の上面には商品見本取付孔１３ｂが形成してあり、商品見本取付孔１３ｂには、たとえば１２個の商品見本１２が着脱可能に取り付けてある。商品見本１２は、商品選択ボタン１０と対応しており、商品選択ボタン１０と対応する商品ラックに収納した商品の見本を展示したものである。
【００１９】
図２（ｂ）に示すように、商品展示台１３の前面には商品見本１２ごとに矩形の表示窓１３ｃが形成してある。たとえば、商品展示台１３に１２個の商品見本１２を取り付ける場合には、１２個の表示窓１３ｃが形成してある。また、商品展示台１３の後方内側面には左右で一対をなして蛍光灯１５を取り付けるＬ字状の蛍光灯取付金具（図示せず）が取り付けてある。蛍光灯取付金具（図示せず）は蛍光灯１５を取り付けるソケット（図示せず）を備え、ソケット（図示せず）には蛍光灯１５が装着してある。
【００２０】
また、図３に示すように、商品展示台１３の前面には断面Ｌ字状に折り曲げて商品表示テープ１４が周回する商品表示ガイド１３ｄを形成する一方、商品展示台１３の後方内側面には商品表示テープ１４を案内する断面鍵状のテープガイド１６を取り付けてある。
【００２１】
図２に示すように、商品展示台１３の左端には商品表示テープ１４を周回させる駆動プーリ２０を備えた駆動ユニット２１が取り付けてあり、商品展示台１３の右端には商品表示テープ１４を巻回する従動プーリ４０を備えた従動ユニット４１が取り付けてある。
【００２２】
図４に示すように、駆動ユニット２１は、駆動機構２２と、ケース２３と、カバー２４とを有している。駆動機構２２は駆動プーリ２０を回転させるためのもので、モータ２５と、モータ２５から駆動プーリ２０に動力を伝達する歯車列２６とを備えている。ケース２３は駆動機構２２のうち、駆動プーリ２０とモータ２５とを収納して商品展示台１３に取り付けるものである。ケース２３の上面には商品表示テープ１４の基準位置を検出する基準位置検出スイッチ２７が取り付けてあり、ケース２３の下面には駆動プーリ２０の一回転を検出する回転検出スイッチ２８が取り付けてある。駆動プーリ２０の上面はカバー２４によって覆ってある。ケース２３とカバー２４との間には表示テープを案内する二つのガイドローラ２９が回転自在に取り付けてある。
【００２３】
駆動プーリ２０の下方域の外周には８個のツメ２０ａが形成してある。このツメ２０ａは駆動プーリ２０の外周に等間隔に形成してあり、その形状は円錐台状であって、商品表示テープ１４を確実に周回させることができる。また、駆動プーリ２０と一体に形成した軸には突起２０ｂが形成してあり、ケース２３に取り付けた回転検出スイッチ２８が駆動プーリ２０の回転を検出できる。
【００２４】
図５に示すように、従動ユニット４１は、ベース４２と、従動プーリ４０と、プーリガイド４３と、プーリピン４４と、バネ４５とから構成してある。ベース４２は従動ユニット４１を商品展示台１３に取り付けるもので略コの字状に形成し、その下面と上面には左右方向に延在する長孔４２ａが形成してある。ベース４２のコの字状に形成した凹部には従動プーリ４０を配設する一方、上面と下面にはプーリガイド４３が配設してある。そして、プーリガイド４３、ベース４２の長孔４２ａ、従動プーリ４０、ベース４２の長孔４２ａ、プーリガイド４３の順にプーリピン４４を貫通して、従動プーリ４０を回転自在に支承する。したがって、従動プーリ４０は上下のプーリガイド４３と一体に左右方向に摺動する。
また、ベース４２とプーリガイド４３との間にバネ４５を張架して、プーリガイド４３を右方向に付勢してある。このため、プーリガイド４３を貫通するプーリピン４４に支承した従動プーリ４０は右方向に付勢される。
【００２５】
駆動プーリ２０、テープガイド１６、一対の従動プーリ４０、商品表示ガイド１３ｄ、二つのガイドローラ２９の順に商品表示テープ１４が巻回してある。なお、従動プーリ４０は必ずしも一対である必要はなく、一つの従動プーリ４０であってもよい。また、ガイドローラ２９は必ずしも配設しなくてよく、駆動プーリ２０と従動プーリ４０との間に商品表示テープ１４を巻回したものであればよい。
【００２６】
商品表示テープ１４は、無端であって、光を透過するプラスチックフィルムによって作成してある。商品表示テープ１４の略半周にわたり表示窓１３ｃごとに一の商品情報表示（商品の状態情報表示）を印刷し、残りの略半周にわたり表示窓１３ｃごとに他の商品情報表示（商品の状態情報表示）を印刷してある。ここで、一つの表示窓１３ｃに対応する商品表示テープ１４の一つの商品情報表示は駆動プーリ２０の周長と同一に設定してある。このため、駆動プーリ２０を一回転させると商品表示テープ１４が表示窓１３ｃに対して商品表示テープ１４が一の商品情報表示分だけ周回する。
【００２７】
たとえば、商品展示台１３に１２個の商品見本１２を取り付ける場合には、２７領域に商品情報表示が印刷してある。そして、このうち１４領域には冷蔵商品である旨の表示、すなわち「つめた〜い」が連続して印刷してあり、残りの１３領域には温蔵商品である旨の表示、すなわち「あったか〜い」が連続して印刷してある。なお、これらの文字は商品の状態を強調するべく、商品が温蔵状態の場合には背景色を暖色（赤色）にして「あったか〜い」の文字を白抜きにし、商品が冷蔵状態の場合には背景色を寒色（青色）にして「つめた〜い」の文字を白抜きにすることが好ましい。また、温蔵状態を示す「あったか〜い」の文字の代わりに「ＨＯＴ」の文字を、冷蔵状態を示す「つめた〜い」の文字の代わり「ＣＯＬＤ」の文字を印刷してもよい。
【００２８】
また、図６に示すように、商品表示テープ１４の周方向において、商品情報表示の基準位置となる部分には基準位置検出孔１４ｂを形成してある。基準位置検出孔１４ｂは、すべての表示窓１３ｃに冷蔵商品である旨の商品情報表示を印刷した領域が一致するとき、すなわち、すべての表示窓１３ｃに「つめた〜い」の文字を印刷した領域が位置するときに、基準位置検出スイッチ２７が基準位置検出孔（表示基準位置）１４ｂを検出するように形成してある。また、商品表示テープ１４の周方向には基準位置検出孔１４ｂを基準として駆動プーリ２０のツメ２０ａと噛み合う噛合孔１４ａが全周にわたって形成してある。このとき、回転検出スイッチ２８が駆動プーリ２０の突起２０ｂを検出する。
【００２９】
商品表示テープ１４の略半周にわたって表示窓１３ｃごとに一の商品情報表示（商品の状態情報表示）が連続して印刷してあり、残りの略半周にわたって表示窓１３ｃごとに他の商品情報表示（商品の状態情報表示）が連続して印刷してあるので、たとえば、商品展示台１３に取り付けた商品（商品見本１２）のすべてが冷蔵商品である旨、すなわち、「つめた〜い」の表示ができる一方、商品展示台１３に取り付けた商品（商品見本１２）のすべてが温蔵商品である旨、すなわち「あったか〜い」の商品表示ができる。また、商品展示台１３の左側の商品（商品見本１２）群が冷蔵商品であって、商品展示台１３の右側の商品（商品見本１２）群が温蔵商品である旨の商品情報表示を切り分けて表示することもできる。また、冷蔵商品と温蔵商品との切り分け比率は任意に設定できる。
【００３０】
商品表示ガイド１３ｄには、透明な商品表示パネル１７を載置してある。商品表示パネル１７の後面側には商品選択ボタン１０に対応した商品価格が表示窓１３ｃに対応する領域ごとに印刷してある。
【００３１】
以上説明した、モータ２５と、回転検出スイッチ２８と、基準位置検出スイッチ２７とは、図７に示すように、商品表示装置１１の制御部６０に接続してある。そして、この制御部６０はさらに、自動販売機１の主制御部６１に接続してある。自動販売機１の主制御部６１には、商品表示装置１１の制御部６０のほか、各商品収容室の加熱／冷却ユニット、冷温販売モード設定スイッチが接続してあり、冷温販売モード設定スイッチを操作することにより、各商品収容室の加熱／冷却ユニットの運転を切り換えることができる。また、自動販売機１の主制御部６１は外部のリモートコントロールの操作により各商品収容室の加熱／冷却ユニットの運転を切り換えることもできる。すなわち、冷温販売モード信号が「冷却」の場合には冷却ユニットが稼働し、冷温販売モード信号が「加熱」の場合には加熱ユニットが稼働する。
【００３２】
この自動販売機１の商品表示装置１１によれば、表示窓１３ｃ枠内に商品表示テープ１４の商品情報表示と商品表示パネル１７の商品価格を示す領域が位置し、これらは蛍光灯１５により背照されるので、自動販売機１の前方から、商品（商品見本１２）、商品情報（商品状態情報）、商品の価格と関連づけて商品選択ボタン１０を視認できる。
【００３３】
つぎに、本発明の実施の形態に係る自動販売機の商品表示装置の作用を図８に基づいて説明する。なお、図８は自動販売機の商品表示装置の作用を示すフローチャートである。
【００３４】
自動販売機１の各商品収容室に収納する商品を冷蔵商品から温蔵商品に切り換える場合、あるいは温蔵商品から冷蔵商品に切り換える場合には、加熱／冷却ユニットの運転の切り換えのほかに、自動販売機１の商品表示装置１１の商品情報表示も切り換えなければならない。
【００３５】
冷温販売モード設定スイッチ、あるいはリモートコントロールを操作することにより設定信号が入力、すなわち、いずれか一つ以上の商品収容室の加熱／冷却ユニットの運転を切り換えると（ステップＳ１）、自動販売機１の主制御部６１は、商品収容室の加熱／冷却状態に基づいて、各商品選択ボタン１０に割り付けられた商品が冷蔵商品か、温蔵商品であるか判別する（ステップＳ２）。この判別結果に基づいて、商品表示テープ１４の送り量（予め設定した移動量）を算出し、その算出結果を自動販売機１の主制御部６１から商品表示装置１１の制御部６０に伝達する。商品表示装置１１の制御部６０は商品表示テープ１４の送り量に基づいて基準位置検出孔１４ｂを検出した後に駆動プーリ２０が回転すべき回転数を求める（ステップＳ３）。なお、商品表示テープ１４の一つの商品情報表示は、駆動プーリ２０の周長と同一であるので、商品表示テープ１４の送り量と駆動プーリ２０の回転数は同一に求められる。
【００３６】
商品表示装置１１の制御部６０は、次に、基準位置検出スイッチ２７が商品表示テープ１４の基準位置検出孔１４ｂを検出するまでモータ２５を駆動する（ステップＳ４）。基準位置検出スイッチ２７が商品表示テープ１４の基準位置検出孔１４ｂを検出する（ステップＳ５：ＹＥＳ）と商品表示装置１１の制御部６０は、一旦、モータ２５を停止する（ステップＳ６）。その後、商品表示装置１１の制御部６０は、算出した商品表示テープ１４の送り量を検出するまで、すなわち、求めた駆動プーリ２０の回転数を検出するまで、モータ２５を駆動する（ステップＳ７）。商品表示テープ１４が算出した送り量、すなわち、求めた駆動プーリ２０の回転数、を検出すると（ステップＳ８：ＹＥＳ）、モータ２５を停止して商品表示装置１１の制御部６０から自動販売機１の主制御部６１に商品情報表示の切り換えが完了した旨を通知して商品情報表示の切り換えが終了する（ステップＳ９）。
【００３７】
この自動販売機１の商品表示装置１１によれば、商品表示テープ１４を周回させることにより、商品（商品見本１２）、商品の価格、商品選択ボタン１０に対して商品情報表示（商品の状態情報）を切り換えることができる。
【００３８】
次に本実施の形態に係る自動販売機１の商品表示装置１１において、商品情報表示を切り換える際に商品表示テープ１４の表示基準位置を検出した時点から予め設定した移動量だけ商品表示テープ１４を移動させる商品表示テープ制御手段の例を詳細に説明する。なお、図９は形態１に係る商品表示テープ制御手段の例を説明する説明図、図１０は形態２に係る商品表示テープ制御手段の例を説明する図、図１１は形態３に係る商品表示テープ制御手段の例を説明する図、図１２は形態４に係る商品表示テープ制御手段の例を説明する図、図１３は形態５に係る商品表示テープ制御手段の例を説明する図、図１４は形態６に係る商品表示テープ制御手段の例を説明する図である。
【００３９】
（形態１）
形態１に係る商品表示テープ制御手段は、上述したように、商品表示テープ１４に形成した基準位置検出孔（表示基準位置）１４ｂを検出する基準位置検出スイッチ２７と、駆動プーリ２０に形成した突起２０ｂを検出することにより駆動プーリ２０の回転を検出する回転検出スイッチ２８と、駆動プーリ２０を回転させるモータ２５とを備えている。なお、形態１に係る商品表示テープ制御手段において、基準位置検出スイッチ２７と回転検出スイッチ２８とはいわゆるマイクロスイッチにより構成してある。
【００４０】
すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７が基準位置検出孔（表示基準位置）１４ｂを検出するように、商品表示テープ１４に基準位置検出孔１４ｂを形成してある。また、基準位置検出スイッチ２７が商品表示テープ１４の基準位置検出孔（表示基準位置）１４ｂを検出したときに、回転検出スイッチ２８が駆動プーリ２０に形成した突起２０ｂを検出するように組み立ててある。駆動プーリ２０の周長は一の商品情報表示と同一の長さ有するように設定してある。
【００４１】
このように商品表示テープ制御手段を構成した自動販売機１の商品表示装置１１において、商品情報表示を切り換える場合には、まず、基準位置検出スイッチ２７が基準位置検出孔（表示基準位置）１４ｂを検出するまでモータ２５を駆動する。基準位置検出スイッチ２７が基準位置検出孔（表示基準位置）１４ｂを検出したらモータ２５の駆動を停止する。このとき、すべての表示窓１３ｃに冷蔵商品である旨の商品情報表示、すなわち、「つめた〜い」の表示がなされ、回転検出スイッチ２８が駆動プーリ２０に形成した突起２０ｂを検出する。
【００４２】
つづいて、回転検出スイッチ２８が駆動プーリ２０に形成した突起２０ｂを検出するまでモータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００４３】
このように、駆動プーリ２０が一回転するごとに一つずつ右側の表示窓１３ｃの商品情報表示が、漸次冷蔵商品である旨の商品情報表示、すなわち「つめた〜い」の表示から温蔵商品である旨の商品情報表示、すなわち「あったか〜い」の表示に切り換わる。したがって、切り換える必要がある表示窓１３ｃの数（予め設定した移動量）に応じて駆動プーリ２０を回転させれば、切り換える必要がある表示窓１３ｃの数だけ商品情報表示が切り換わる。
【００４４】
形態１に係る商品表示テープ制御手段を有する自動販売機１の商品表示装置１１によれば、表示窓１３ｃと商品情報表示とを位置合わせでき、商品選択ボタン１０および商品見本１２と、商品表示テープ１４の商品情報表示とを位置合わせして、利用者が商品情報を正確に識別できる。
【００４５】
（形態２）
形態２に係る商品表示テープ制御手段は、商品表示テープ１４に形成した基準位置検出孔（表示基準位置）１４２を検出する基準位置検出スイッチ２７２と、駆動プーリ２０に形成した突起２０ｂを検出する回転検出スイッチ２８と、駆動プーリ２０を回転させるモータ２５とを備えている。基準位置検出孔１４２は商品表示テープ１４の上縁部に形成してあり、基準位置検出スイッチ２７２は商品表示テープ１４の上縁部を挟むように取り付けてある。なお、形態２に係る商品表示テープ制御手段において、基準位置検出スイッチ２７２は透過光を検出するいわゆるフォトインタラプタにより構成してあり、回転検出スイッチ２８はいわゆるマイクロスイッチにより構成してある。また、基準位置検出孔１４２は必ずしも孔でなくてもよく、たとえば、基準位置となる箇所に印刷を施さない、いわゆる色抜きにより形成してもよい。
【００４６】
すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７２が基準位置検出孔（表示基準位置）１４２を検出するように、商品表示テープ１４に基準位置検出孔１４２を形成してある。また、基準位置検出スイッチ２７２が商品表示テープ１４の基準位置検出孔（表示基準位置）１４２を検出したときに、回転検出スイッチ２８が駆動プーリ２０に形成した突起２０ｂを検出するように組み立ててある。駆動プーリ２０の周長は一の商品情報表示と同一の長さを有するように設定してある。
【００４７】
このように商品表示テープ制御手段を構成した自動販売機１の商品表示装置１１において、商品情報表示を切り換える場合には、まず基準位置検出スイッチ２７２が基準位置検出孔（表示基準位置）１４２を検出するまでモータ２５を駆動する。基準位置検出スイッチ２７２が基準位置検出孔（表示基準位置）１４２を検出したらモータ２５の駆動を停止する。このとき、すべての表示窓１３ｃに冷蔵商品である旨の情報表示、すなわち、「つめた〜い」の表示がなされ、回転検出スイッチ２８が駆動プーリ２０に形成した突起２０ｂを検出する。
【００４８】
つづいて、回転検出スイッチ２８が駆動プーリ２０に形成した突起２０ｂを検出するまで、モータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００４９】
このように、駆動プーリ２０が一回転するごとに一つずつ右側の表示窓１３ｃの商品情報表示が漸次冷蔵商品である旨の商品表示から温蔵相品である旨の商品情報表示に切り換わる。したがって、切り換える必要がある表示窓１３ｃの数（予め設定した移動量）に応じて駆動プーリ２０を回転させれば、切り換える必要がある表示窓１３ｃの数だけ商品情報表示が切り換わる。
【００５０】
形態２に係る商品表示テープ制御手段を有する自動販売機１の商品表示装置１１によれば、表示窓１３ｃと商品情報表示とが位置合わせでき、商品選択ボタン１０および商品見本１２と、商品表示テープ１４の商品情報表示とを位置合わせして、利用者が商品情報を正確に識別できる。
【００５１】
（形態３）
形態３に係る商品表示テープ制御手段は、商品表示テープ１４に形成した基準位置検出孔（表示基準位置）１４３を検出する基準位置検出スイッチ２７３と、駆動プーリ２０に形成した突起２０ｂを検出する回転検出スイッチ２８と、駆動プーリ２０を回転させるモータ２５とを備えている。基準位置検出スイッチ２７３は、商品表示テープ１４の下縁部を挟むように取り付けてある。なお、形態３に係る商品表示テープ制御手段において、基準位置検出スイッチ２７３は透過光を検出するいわゆるフォトインタラプタにより構成してあり、回転検出スイッチ２８はいわゆるマイクロスイッチにより構成してある。
【００５２】
すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７３が基準位置検出孔（表示基準位置）１４３を検出するように、商品表示テープ１４に基準位置検出孔１４３を形成してある。また、基準位置検出スイッチ２７３が商品表示テープ１４の基準位置検出孔（表示基準位置）１４３を検出したときに、回転検出スイッチ２８が駆動プーリ２０に形成した突起２０ｂを検出するように組み立ててある。駆動プーリ２０の周長は一の商品情報表示と同一の長さを有するように設定してある。
【００５３】
このように商品表示テープ制御手段を構成した自動販売機１の商品表示装置１１において、商品情報表示を切り換える場合には、まず、基準位置検出スイッチ２７３が基準位置孔（表示基準位置）１４３を検出するまでモータ２５を駆動する。基準位置検出スイッチ２７３が基準位置検出孔（表示基準位置）１４３を検出したらモータ２５の駆動を停止する。このとき、すべての表示窓１３ｃに冷蔵商品である旨の商品情報表示、すなわち、「つめた〜い」の表示がなされ、回転検出スイッチ２８が駆動プーリ２０に形成した突起２０ｂを検出する。
【００５４】
つづいて、回転検出スイッチ２８が駆動プーリ２０に形成した突起２０ｂを検出するまでモータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００５５】
このように、駆動プーリ２０が一回転するごとに一つずつ右側の表示窓１３ｃの商品情報表示が、漸次冷蔵商品である旨の商品情報表示、すなわち「つめた〜い」の表示から温蔵商品である旨の商品情報表示、すなわち「あったか〜い」の表示に切り換わる。したがって、切り換える必要がある表示窓１３ｃの数（予め設定した移動量）に応じて駆動プーリ２０を回転させれば、切り換える必要がある表示窓１３ｃの数だけ商品情報表示が切り換わる。
【００５６】
形態３に係る商品表示テープ制御手段を有する自動販売機１の商品表示装置１１によれば、表示窓１３ｃと商品情報表示とを位置合わせでき、商品選択ボタン１０および商品見本１２と、商品表示テープ１４の商品情報表示とを位置合わせして、利用者が商品情報を正確に識別できる。
【００５７】
（形態４）
形態４に係る商品表示テープ制御手段は、商品表示テープ１４に形成した基準位置検出孔（表示基準位置）１４４を検出する基準位置検出スイッチ２７４と、商品表示テープ１４の送り量を検出する送り量検出スイッチ２８４と、駆動プーリ２０を回転させるモータ２５とを備えている。基準位置検出孔１４４は商品表示テープ１４の上縁部に形成してあり、基準位置検出スイッチ２７４は商品表示テープ１４の上縁部を挟むよう取り付けてある。送り量検出スイッチ２８４は、商品表示テープ１４に形成した噛合孔１４ａを検出することにより、商品表示テープ１４の送り量を検出するものであって、商品表示テープ１４の下縁部を挟むように取り付けてある。たとえば、八つの噛合孔１４ａを検出するまで商品表示テープ１４を送ると、商品表示テープ１４に印刷した一の商品情報表示が送られるように構成してある。なお、形態４に係る商品表示テープ制御手段において、基準位置検出スイッチ２７４と、送り量検出スイッチ２８４とは、透過光を検出するいわゆるフォトインタラプタにより構成してある。また、基準位置検出孔１４４は必ずしも孔を形成しなくてもよく、たとえば、基準位置となる箇所に印刷を施さない、いわゆる色抜きにより形成してもよい。
【００５８】
すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７４が基準位置検出孔（表示基準位置）１４４を検出するように、商品表示テープ１４に基準位置検出孔１４４を形成してある。また、基準位置検出スイッチ２７４が商品表示テープ１４の基準位置検出孔（表示基準位置）１４４を検出したときに、送り量検出スイッチ２８４が商品表示テープ１４の噛合孔１４ａ溝を検出するように配設してある。
形態４に係る駆動プーリ２０の周長は一の商品情報表示と同一の長さを有するように設定してあるが、駆動プーリ２０の周長は必ずしも一の商品情報表示と同一の長さを有するように設定しなくてもよい。
【００５９】
このように商品表示テープ制御手段を構成した自動販売機１の商品表示装置１１において、商品情報表示を切り換える場合には、まず、基準位置検出スイッチ２７４が基準位置検出孔（表示基準位置）１４４を検出するまでモータ２５を駆動する。基準位置検出スイッチ２７４が基準位置検出孔（表示基準位置）１４４を検出したらモータ２５の駆動を停止する。このとき、すべての表示窓１３ｃに冷蔵商品である旨の商品情報表示、すなわち、「つめた〜い」の表示がなされ、送り量検出スイッチ２８４が商品表示テープ１４に形成した噛合孔１４ａを検出する。
【００６０】
つづいて、送り量検出スイッチ２８４が一の商品情報表示に対応する数の噛合孔１４ａを検出するまでモータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００６１】
このように、送り量検出スイッチ２８４が所望の商品情報表示分の噛合孔１４ａを検出するまでモータ２５を駆動すると、右側の表示窓１３ｃの商品情報表示が、漸次冷蔵商品である旨の商品情報表示、すなわち「つめた〜い」の表示から温蔵商品である旨の商品情報表示、すなわち「あったか〜い」の表示に切り換わる。したがって、切り換える必要がある表示窓１３ｃの数に応じて検出する噛合孔１４ａの数（予め設定した移動量）を変更すれば、切り換える必要がある表示窓１３ｃの数だけ商品情報表示が切り換わる。
【００６２】
形態４に係る商品表示テープ制御手段を有する自動販売機１の商品表示装置１１によれば、表示窓１３ｃと商品情報表示とを位置合わせでき、商品選択ボタン１０および商品見本１２と、商品表示テープ１４の商品情報表示とを位置合わせして、利用者が商品情報を正確に識別できる。
【００６３】
（形態５）
形態５に係る商品表示テープ制御手段は、商品表示テープ１４に形成した基準位置検出孔（表示基準位置）１４５を検出する基準位置検出スイッチ２７５と、商品表示テープ１４の送り量を検出する送り量検出スイッチ２８５と、駆動プーリ２０を回転させるモータ２５とを備えている。基準位置検出孔１４５は商品表示テープ１４の噛合孔１４ａのやや上方に形成してあり、基準位置検出スイッチ２７５は商品表示テープ１４の下縁部を挟むよう取り付けてある。送り量検出スイッチ２８５は、商品表示テープ１４に形成した噛合孔１４ａを検出することにより、商品表示テープ１４の送り量を検出するものであって、商品表示テープ１４の下縁部を挟むように取り付けてある。たとえば、八つの噛合孔１４ａを検出するまで商品表示テープ１４を送ると、商品表示テープ１４に印刷した一の商品情報表示が送られるように構成してある。なお、形態５に係る商品表示テープ制御手段において、基準位置検出スイッチ２７５と、送り量検出スイッチ２８５とは、透過光を検出するいわゆるフォトインタラプタにより構成してある。また、基準位置検出孔１４５は必ずしも孔を形成しなくてもよく、たとえば、基準位置となる箇所に印刷を施さない、いわゆる色抜きにより形成してもよい。
【００６４】
すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７５が基準位置検出孔（表示基準位置）１４５を検出するように、商品表示テープ１４に基準位置検出孔１４５を形成してある。また、基準位置検出スイッチ２７５が商品表示テープ１４の基準位置検出孔（表示基準位置）１４５を検出したときに、送り量検出スイッチ２８５が商品表示テープ１４の噛合孔１４ａを検出するように配設してある。形態５に係る駆動プーリ２０の周長は一の商品情報表示と同一の長さを有するように設定してあるが、駆動プーリ２０の周長は必ずしも一の商品情報表示と同一の長さを有するように設定しなくてもよい。
【００６５】
このように商品表示テープ制御手段を構成した自動販売機１の商品表示装置１１において、商品情報表示を切り換える場合には、まず、基準位置検出スイッチ２７５が基準位置検出孔（表示基準位置）１４５を検出するまでモータ２５を駆動する。基準位置検出スイッチ２７５が基準位置検出孔（表示基準位置）１４５を検出したらモータ２５の駆動を停止する。このとき、すべての表示窓１３ｃに冷蔵商品である旨の商品情報表示、すなわち、「つめた〜い」の表示がなされ、送り量検出スイッチ２８５が商品表示テープ１４に形成した噛合孔１４ａを検出する。
【００６６】
つづいて、送り量検出スイッチ２８５が一の商品情報表示に対応する数の噛合孔１４ａを検出するまでモータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００６７】
このように、送り量検出スイッチ２８５が所望の商品情報表示分の噛合孔１４ａを検出するまでモータ２５を駆動すると、右側の表示窓１３ｃの商品情報表示が、漸次冷蔵商品である旨の商品情報表示、すなわち「つめた〜い」の表示から温蔵商品である旨の商品情報表示、すなわち「あったか〜い」の表示に切り換わる。したがって、切り換える必要がある表示窓１３ｃの数（予め設定した移動量）に応じて検出する噛合孔１４ａの数を変更すれば、切り換える必要がある表示窓１３ｃの数だけ商品情報表示が切り換わる。
【００６８】
形態５に係る商品表示テープ制御手段を有する自動販売機１の商品表示装置１１によれば、表示窓１３ｃと商品情報表示とが位置合わせでき、商品選択ボタン１０および商品見本１２と、商品表示テープ１４の商品情報表示とを位置合わせして、利用者が商品情報を正確に識別できる。
【００６９】
（形態６）
形態６に係る商品表示テープ制御手段は、商品表示テープ１４に形成した基準位置検出孔（表示基準位置）１４６を検出するとともに商品表示テープ１４の送り量を検出する検出スイッチ２７６と、駆動プーリ２０を回転させるモータ２５とを備えている。商品表示テープ１４の送り量は商品表示テープ１４に形成した噛合孔１４ａを検出することにより検出する。このため、検出スイッチ２７６は商品表示テープ１４の下縁部を挟むように取り付けてある。たとえば、八つの噛合孔１４ａを検出するまで商品表示テープ１４を送ると、商品表示テープ１４に印刷した一の商品情報表示が送られるように構成してある。なお、形態６に係る商品表示テープ制御手段において、検出スイッチ２７６は透過光を検出するいわゆるフォトインタラプタにより構成してある。
【００７０】
ここで、基準位置検出孔（表示基準位置）１４６と噛合孔１４ａとの判別は、透過光を検出してから透過光が遮断されるまでの時間を監視することにより行う。すなわち、透過光を検出してから透過光が遮断されるまでの時間が短い場合には噛合孔１４ａと判別し、透過光を検出してから透過光が遮断されるまでの時間が長い場合には基準位置検出孔１４６と判別する。
【００７１】
すべての表示窓１３ｃに冷蔵商品である旨の商品情報表示を印刷した領域が位置するとき、すなわち、すべての表示窓１３ｃに「つめた〜い」の文字を印刷した領域が位置するときに、検出スイッチ２７６が基準位置検出孔（表示基準位置）１４６を検出するように、商品表示テープ１４に基準位置検出孔１４６を形成してある。形態６に係る駆動プーリ２０の周長は一の商品情報表示と同一の長さを有するように設定してあるが、駆動プーリ２０の周長は必ずしも一の商品情報表示と同一の長さを有するように設定しなくてもよい。
【００７２】
このように商品表示テープ制御手段を構成した自動販売機１の商品表示装置１１において、商品情報表示を切り換える場合には、まず、検出スイッチ２７６が基準位置検出孔（表示基準位置）１４６を検出するまでモータ２５を駆動する。
検出スイッチ２７６が基準位置検出孔（表示基準位置）１４６を検出したらモータ２５の駆動を停止する。このとき、すべての表示窓１３ｃに冷蔵商品である旨の商品情報表示、すなわち、「つめた〜い」の表示がなされる。
【００７３】
つづいて、検出スイッチ２７６が一の商品情報表示に対応する数の噛合孔１４ａを検出するまでモータ２５を駆動する。すると、右側の一の表示窓１３ｃを除いた表示窓１３ｃに冷蔵商品である旨の商品情報表示、すなわち、「つめた〜い」の表示がなされ、右側の一の表示窓１３ｃに温蔵商品である旨の商品情報表示、すなわち、「あったか〜い」の表示がなされる。
【００７４】
このように、検出スイッチ２７６が所望の商品情報表示分の噛合孔１４ａを検出するまでモータ２５を駆動すると、右側の表示窓１３ｃの商品情報表示が、漸次冷蔵商品である旨の商品情報表示、すなわち「つめた〜い」の表示から温蔵商品である旨の商品情報表示、すなわち「あったか〜い」の表示に切り換わる。したがって、切り換える必要がある表示窓１３ｃの数（予め設定した移動量）に応じて検出する噛合孔１４ａの数を変更すれば、切り換える必要がある表示窓１３ｃの数だけ商品情報表示が切り換わる。
【００７５】
形態６に係る商品表示テープ制御手段を有する自動販売機１の商品表示装置１１によれば、表示窓１３ｃと商品情報表示とを位置合わせでき、商品選択ボタン１０および商品見本１２と、商品表示テープ１４の商品情報表示とを位置合わせして、利用者が商品情報を正確に識別できる。また、一の検出スイッチ２７６により基準位置検出孔１４６と、噛合孔１４ａの両方を検出できるので、低コストで商品表示テープ制御手段を構成できる。
【００７６】
【発明の効果】
以上説明したように、本発明の請求項１に係る自動販売機の商品表示装置によれば、商品情報表示を切り換える際に表示基準位置を検出した時点から予め設定した移動量だけ商品表示テープを移動させる商品表示テープ制御手段を備えているので、商品選択ボタンおよび商品見本と、商品表示テープの商品情報表示を位置合わせして、利用者が商品情報を正確に識別できる。
【図面の簡単な説明】
【図１】本発明の実施の形態に係る自動販売機の商品表示装置を適用した自動販売機の斜視図である。
【図２】図１に示した商品表示装置の説明図であって、（ａ）は平面図、（ｂ）は正面図である。
【図３】図２のＩＩＩ−ＩＩＩ断面図である。
【図４】図２に示した駆動ユニットの説明図であって、（ａ）は平面図、（ｂ）は正面図、（ｃ）は左側面図である。
【図５】図２に示した従動ユニットの説明図であって、（ａ）は平面図、（ｂ）は正面図、（ｃ）は右側面図である。
【図６】図２に示した商品表示テープの概念図である。
【図７】自動販売機の商品表示装置のブロック図である。
【図８】本発明の実施の形態に係る自動販売機の商品表示装置の作用を示すフローチャートである。
【図９】形態１に係る商品表示テープ制御手段を説明する説明図である。
【図１０】形態２に係る商品表示テープ制御手段を説明する説明図である。
【図１１】形態３に係る商品表示テープ制御手段を説明する説明図である。
【図１２】形態４に係る商品表示テープ制御手段を説明する説明図である。
【図１３】形態５に係る商品表示テープ制御手段を説明する説明図である。
【図１４】形態６に係る商品表示テープ制御手段を説明する説明図である。
【符号の説明】
１          自動販売機
６          展示室
７          中扉
８ａ        商品展示部
９          透明板
１０          商品選択ボタン
１１          商品表示装置
１２          商品見本
１３          商品展示台
１３ｂ        商品見本取付孔
１３ｃ        表示窓
１３ｄ        商品表示ガイド
１４          商品表示テープ
１４ａ        噛合孔
１４ｂ，１４２，１４３，１４４，１４５，１４６  基準位置検出孔
１５          蛍光灯
１６          テープガイド
１７          商品表示パネル
２０          駆動プーリ
２０ａ        ツメ
２０ｂ        突起
２１          駆動ユニット
２２          駆動機構
２３          ケース
２４          カバー
２５          モータ
２６          歯車列
２７，２７２，２７３，２７４，２７５  基準位置検出スイッチ
２８          回転検出スイッチ
２９          ガイドローラ
４０          従動プーリ
４１          従動ユニット
４２          ベース
４２ａ        長孔
４３          プーリガイド
４４          プーリピン
４５          バネ
６０          制御部
６１          主制御部
２７６          検出スイッチ
２８４          送り量検出スイッチ
２８５          送り量検出スイッチ
【図１】
2004234491.tif 000003
【図２】
2004234491.tif 000004
【図３】
2004234491.tif 000005
【図４】
2004234491.tif 000006
【図５】
2004234491.tif 000007
【図６】
2004234491.tif 000008
【図７】
2004234491.tif 000009
【図８】
2004234491.tif 000010
【図９】
2004234491.tif 000011
【図１０】
2004234491.tif 000012
【図１１】
2004234491.tif 000013
【図１２】
2004234491.tif 000014
【図１３】
2004234491.tif 000015
【図１４】
2004234491.tif 000016